(57)【特許請求の範囲】
【請求項１】
集合住宅のバルコニーにおける隣戸との境界部に配置されたパーテーションに用いる仕切り板であって、
前記パーテーションの隔板を外した開口部を、人が通り抜けできないようにする板部と、該板部の一端から板部の外側に突設された一方の係止部と、該係止部と反対側の他端から板部の外側に突設された他方の係止部を備え、前記板部を、バルコニーに固定状態の一方の部材側への移動によって、その一方の部材に前記一方の係止部を着脱可能に係止し、その後、バルコニーに固定状態の他方の部材側への移動によって、その他方の部材に前記他方の係止部を着脱可能に係止することを特徴とするバルコニーにおけるパーテーション用仕切り板。
【請求項２】
前記両係止部は、夫々、板部から外側へ突出する部分が、前記固定の部材の表裏に係合する股状にして形成されていることを特徴とする請求項１記載のバルコニーにおけるパーテーション用仕切り板。
【請求項３】
前記係止部の少なくとも１つに、前記板部の前記の移動を規制する錠を設けたことを特徴とする請求項１又は２記載のバルコニーにおけるパーテーション用仕切り板。
【請求項４】
前記係止部を、前記移動方向に長尺に形成するとともに、その長手方向に複数の孔を形成し、前記錠を前記複数の孔の１つを選択して施錠するようにしたことを特徴とする請求項３記載のバルコニーにおけるパーテーション用仕切り板。
【発明の詳細な説明】
【技術分野】
【０００１】
本発明は、集合住宅のバルコニーにおける隣戸との境界部分に配置されているパーテーションにおいて、バルコニーでの塗装等の改修工事中に、前記パーテーションに設けられた隔板を外して開口し、この開口部を作業用通路とした際に、この開口部を、開閉するバルコニーにおけるパーテーション用仕切り板に関する。
【０００２】
なお、以下において、バルコニーとは、ベランダを含むものである。
【背景技術】
【０００３】
集合住宅の外壁の塗装作業や洗浄作業時において、建物の外部での移動手段として、従来、建物の外部壁面に仮設足場を立設し、この仮設足場を作業用通路として利用していた。  
【０００４】
しかし、仮設足場は組み立てられる高さに限界があることから、高層の集合住宅の改修工事では設置が困難である。
【０００５】
そこで、集合住宅の多くに用いられる構造である隣戸と連設されたバルコニーを、作業用通路として利用する方法が考えられるが、これらのバルコニーには、隣戸との境界部分に、隔板を有するパーテーションが配置され各戸を区画していることから、このパーテーションの隔板の一部を撤去して開口部を作り、その開口部を一時的な通路として利用することが行われていた。
【発明の概要】
【発明が解決しようとする課題】
【０００６】
しかしながら、前記隔板がそのパーテーションの枠体にボルト等により強固に取付けられているものにおいては、その隔板の撤去と再設置に非常に手間がかかることから、改修工事の開始時に隔板を撤去した後、工事の終了期間後まで開口部が閉鎖されないことが多く、その工事期間中における日々の作業終了時における夜間での防犯に問題があった。
【０００７】
そこで、本発明は、前記の問題を解決するバルコニーにおけるパーテーション用仕切り板を提供することを目的とするものである。
【課題を解決するための手段】
【０００８】
前記の課題を解決するために、請求項１記載の発明は、集合住宅のバルコニーにおける隣戸との境界部に配置されたパーテーションに用いる仕切り板であって、
前記パーテーションの隔板を外した開口部を、人が通り抜けできないように閉塞できる板部と、該板部の一端から板部の外側に突設された一方の係止部と、該係止部と反対側の他端から板部の外側に突設された他方の係止部を備え、前記板部を、バルコニーに固定状態の一方の部材側への移動によって、その一方の部材に前記一方の係止部を着脱可能に係止し、その後、バルコニーに固定状態の他方の部材側への移動によって、その他方の部材に前記他方の係止部を着脱可能に係止することを特徴とするものである。
【０００９】
請求項２記載の発明は、請求項１記載の発明において、前記両係止部は、夫々、板部から外側へ突出する部分が、前記固定の部材の表裏に係合する股状にして形成されていることを特徴とするものである。
【００１０】
請求項３記載の発明は、請求項１又は２記載の発明において、前記係止部の少なくとも１つに、前記板部の前記の移動を規制する錠を設けたことを特徴とするものである。
【００１１】
請求項４記載の発明は、請求項３記載の発明において、前記係止部の少なくとも１つに、前記板部の前記の移動を規制する錠を設けたことを特徴とするものである。
【発明の効果】
【００１２】
集合住宅のバルコニーにおける隣戸との境界部に設置されるパーテーションの隔板を外し、該部に形成される開口部分に、本発明のバルコニーにおけるパーテーション用仕切り板（以下パーテーション用仕切り板ともいう）を着脱可能に設置することにより、改修工事中は該パーテーション用仕切り板を外して、前記開口部を作業用通路として利用できると共に、作業終了時には前記パーテーション用仕切り板を前記開口部分に配置して、他者の通行を抑制することができる。
【００１３】
更に、このパーテーション用仕切り板は、その移動操作による簡単な方法で取付け及び取外しができるため、その作業の手間を省くことができる。
【００１４】
更に、錠を設けたことにより、関係者以外が錠を解除してパーテーション用仕切り板を取り外すことができず、空き巣などの侵入を防止することができる。
【００１５】
また、錠を設ける係止部には孔が複数設けられていることから、錠の取付位置を調整することができ、現場によって、パーテーションの開口部の幅や高さが異なったとしても、適宜対応することができる。
【図面の簡単な説明】
【００１６】
【図１】本発明のパーテーション用仕切り板を設置するパーテーションの配置状態を示す正面図。
【図２】図１のパーテーションの斜視図。
【図３】図２のパーテーションから下隔板を外した状態を示す斜視図。
【図４】本発明の実施例を示すパーテーション用仕切り板の斜視図。
【図５】本発明のパーテーション用仕切り板をパーテーションに設置した状態を示す正面図。
【図６】本発明のパーテーション用仕切り板を設置した状態を示す斜視図。
【図７】図６のパーテーション用仕切り板に錠を設置した状態を示す斜視図。
【図８】図７における施錠部の拡大斜視図。
【発明を実施するための形態】
【００１７】
本発明を実施するための形態を図に示す実施例に基づいて説明する。
なお、本発明のバルコニーにおけるパーテーション用仕切り板１は、図１に示すように、建物４０のバルコニー４１における隣戸との境界部分において、バルコニー４１の手摺り２０と壁面（柱面）２１との間に配置される既設のパーテーション２２において設けるものであり、まず、この既設のパーテーション２２について図１〜３により説明する。
【００１８】
パーテーション２２は、非常時にはバルコニーを避難通路として利用できるように、人が破壊できる程度の強度の板材で形成された隣戸との区画壁である。本実施例では一般的な構造である、例えば、図１に示すような、枠体２３と上下の隔板２４，２５とから構成されている。
【００１９】
枠体２３は、建物の壁面（柱面）２１側の内側縦枠２６と、手摺り２０側の外側縦枠２７と、両縦枠２６，２７に架設された上枠２８と中枠２９と下枠３０とからなり、この両縦枠２６，２７と、上枠２８と中枠２９との間には、これらに囲まれた上隔板２４が、両縦枠２６，２７と中枠２９と下枠３０との間には、これらに囲まれた下隔板２５が保持されている。
【００２０】
この上下隔板２４，２５の保持手段については、本実施例では、図２に示すように、内側縦枠２６と外側縦枠２７の内側面に形成された溝部２６ａ，２７ａに、下隔板２５の両端を枠体２３の上方から摺動させるように挿入して下隔板２５を下枠３０まで入れ、その後、中枠２９を、下隔板２５の上部に位置させて内側縦枠２６と外側縦枠２７の両側面から螺子３１で螺着し、その上部に上隔板２４を上記と同様に溝部２６ａ，２７ａを通じて上方より挿入して位置させ、該上隔板２４の上部に上枠２８を配置し、これを両縦枠２６，２７に螺子３１で螺着して構成したものである。
【００２１】
なお、この上下隔板２４，２５の保持手段は、前記の実施例に限るものではなく、両隔板２４，２５を枠体２３に螺子で保持させる等、他の保持手段であってもよい。
【００２２】
そして、前記下隔板２５を外すことにより、図３に示すように、人が通り抜けることができる開口部３２が形成される。
【００２３】
次に本発明の実施例のバルコニーにおけるパーテーション用仕切り板１について図４〜８により説明する。
【００２４】
本発明の実施例のバルコニーにおけるパーテーション用仕切り板１は、前記パーテーション２２の下隔板２５側において使用されるもので、図４に示すように、板部２と保持金具３と留め金具４と後述する錠１５とからなる。
【００２５】
板部２は、前記開口部３２を、人が通り抜けできないようにする大きさのものであり、実施例では、図５に示すように、その横幅Ｗ１が、前記内側縦枠２６と外側縦枠２７の内のり寸法Ｗ２より小さく、かつ、その縦幅Ｈ１が、前記中枠２９と下枠３０の内のり寸法Ｈ２よりも小さい矩形の板材であり、これら各枠と板部２との間に所定の隙間Ｄができるように形成されている。
【００２６】
該板部２は、下隔板２５と同様に人の力で破壊可能な強度の材質で形成され、本実施例では、ケイ酸カルシウム板等を使用している。
【００２７】
また、図４に示すように、前記板部２の両側部の下端部には、保持金具からなる他方の係止部（以下保持金具という）３，３が具備され、板部２の両側部の上端部には、留め金具からなる一方の係止部（以下留め金具という）４，４が具備されている。
【００２８】
前記保持金具３，３は、前記下枠（他方の部材）３０に嵌合するように、下方が開口する嵌合部１０を有し、留め金具４，４は、前記中枠（一方の部材）２９に嵌合するように、上方が開口する嵌合部１０を有する。
【００２９】
前記各保持金具３，３は、夫々一対の長尺な金属製の前構成板５と後構成板６とからなる。
【００３０】
前記前構成板５は、その長手方向の中央より一端側に位置した部分５ａで、前後方向の一方に屈曲させ、更に、その屈曲部５ａの先を逆方向に屈曲させることによって、長さの異なる互いに平行な二段状の前部片７，後部片８を形成している。
【００３１】
これにより、該前部片７と後部片８は、その長手方向の長さが異なり、後部片８が前部片７よりも相対的に長尺に形成されている。
【００３２】
この前部片７と後部片８には、各々が同径の複数の取付孔９が長手方向において所定の間隔で全域に亘って開口形成されており、前部片７より後部片８に多く配置されている。
【００３３】
前記後構成板６も、前記前構成板５と同一構造で形成されている。そのため、前記前構成板５と同一部分には前記と同一符号を付してその説明を省略する。
【００３４】
そして、前記前構成板５を、その前部片７が、板部２の下端より下方に突出し、かつ板部２の表裏の一方の面２ａより外側に突出するように配置して、その後部片８を板部２の一方の面２ａに固着し、後構成板６を、板部２の他方の面２ｂに、前記前構成板５に対して前後を逆向きにして同様に固着する。
【００３５】
このように構成された保持金具３におけるその両前部片７，７間には下側が開口した嵌合部１０が形成され、その内のり寸法Ａは、板部２の厚みＢよりも広く、かつ、枠体２３（他方の部材３０）の厚みＣより広くなるように設定されている。
【００３６】
前構成板５の後部片８と後構成板６の後部片８の、板部２への取付けは、前記取付孔９を通じて固定手段１４、例えば、ボルト、ナット或いはビス等で行う。なお、この取付け後は、そのボルトのねじやビスの頭を潰して、保持金具３の取外しができないようにしてもよい。
【００３７】
また、前記板部２の両側部の上端部には、留め金具４が設置されている。
該留め金具４は、前記保持金具３と同様の金具を使用するもので、その部材、構造は前記保持金具３と同様であるため、前記保持金具３と同一部分には、前記と同一符号を付してその説明を省略する。
【００３８】
この留め金具４における前構成板５と後構成板６は、前記保持金具３の固設状態に対して、表裏（前後）を反転させ、その後部片８，８が板部２の上端より上方に突出するように配置し、前構成板５の前部片７を板部２の一方の面２ａに固着し、後構成板６の前部片７を板部２の他方の面２ｂに固着する。なお、留め金具４の板部２への固定手段１４は前記保持金具３の固定手段１４と同様である。
【００３９】
これにより、該留め金具４における前後の構成板５，６の後部片８，８間の内のり寸法Ａが板部２の厚さＢよりも広く、かつ、枠体２３（一方の部材２９）の厚みＣよりも広くなるように設けられている。
【００４０】
前記、留め金具４の後部片８，８には、図７及び図８に示すように環状の係止部材１６を備えた錠１５が取付けられるようになっている。
【００４１】
前記の錠１５は、種々の形式のものが適用可能であり、図の実施例では、ダイヤル式のものを使用したが、その他、鍵式のものであってもよい。
【００４２】
実施例の錠１５は、ロックを解除した環状の係止部材１６を、その解除側の一端から、前記両後部片８，８の取付孔９，９に、図８に示すように挿通して両構成板５，６に係合させ、その後、係止部材１６の一端を錠１５に挿入して施錠するようになっている。また、この施錠は、上下方向に複数設けられた、取付孔９，９を、使用状況に合わせて適宜選択して行うことができるようになっている。
【００４３】
次にパーテーション用仕切り板１の設置方法について説明する。
通常、パーテーション２２は、図１，２に示すように、上下隔板２４，２５によってバルコニーを区画しているが、改修工事開始時には、まず、図３に示すように、パーテーション２２の下隔板２５を撤去し、内側縦枠２６と外側縦枠２７と中枠２９と下枠３０に囲まれた開口部３２を形成する。
【００４４】
この下隔板２５の撤去は、前記の取付作業とは逆の作業によって行ってもよく、また、該下隔板２５を破壊してもよい。
【００４５】
前記開口部３２は、日中の作業中においては開口させたままの状態とし、作業用通路として利用する。
【００４６】
そして、その日の作業終了時には、この開口部３２における他者の通行を防止するため、図６に示すように、本発明のパーテーション用仕切り板１をこの開口部３２に装着する。
【００４７】
この装着は、まず、前記のように、保持金具３と留め金具４を備えたパーテーション用仕切り板１を上下方向において傾けながら、その上端側と留め金具４を前記開口部３２に挿入し、次で留め金具４の両後部片８，８を、これが中枠（一方の部材）２９を表裏から挟むように位置させて、板部２を、その上端が中枠２９に衝突するまで、上方（一方）へ移動させる。
【００４８】
その後、パーテーション用仕切り板１を図６に示すように下方（他方）へ移動させ、前記保持金具３の前部片７，７が下枠（他方の部材）３０を表裏から挟むようにして、板部２の下端を下枠３０に当接させ、パーテーション用仕切り板１を下枠３０に支承させる。これにより、図６に示すように、保持金具３が下枠３０に嵌合し、留め金具４が中枠２９に嵌合して、板部２が枠体２３に取外し可能に支持される。
【００４９】
この時、板部２の上下幅は、中枠２９と下枠３０の内のり寸法より小さく設定されると共に、板部２の上端と中枠２９の下端との隙間Ｄの長さＥが、保持金具３の前部片７，７の下方への突出長Ｆより長く、かつ、留め金具４の後部片８，８の上方への突出長Ｇより短くなるように設定されている。
【００５０】
これにより、パーテーション用仕切り板１は、これを上方に持ち上げない限り、パーテーション２２から取り外すことはできない。
【００５１】
そして、図７，８に示すように、留め金具４の後片部８，８における取付孔９，９のうち、板部２の上端と中枠２９の下端との隙間Ｄに位置するうちの最上段の取付孔９，９に、錠１５の環状の係止部材１６を連通させて錠１５を施錠する。
【００５２】
これにより、図８に示す錠１５の係止部材１６と中枠２９との間の間隔Ｊが図７に示す保持金具３の前部片７の突出長Ｆより短くなり、パーテーション用仕切り板１は、その上方への移動が、錠１５の係止部材１６によって規制され、しいては、パーテーション２２からの取外しが不可能となり、作業を行わない夜間等において、他者の通行を防止し、防犯対策となる。
【００５３】
また、翌日の作業時において、前記パーテーション用仕切り板１を取り外すには、前記の錠１５を外し、板部２を上方へ移動して保持金具３を下枠（他方の部材）３０より外した後、下方へ移動して、パーテーション用仕切り板１を外し、開口部３２を形成する。
【００５４】
そして、改修工事終了時には、パーテーション用仕切り板１を外し、パーテーション２２を組み立て直し、下隔板２５を装着させ元の状態に復旧させる。
【００５５】
本発明の前記実施例によれば、次のような効果を発揮できる。
パーテーション２２の下隔板２５を外し、本発明のパーテーション用仕切り板１を使用することなくパーテーション２２に開口部３２を形成することにより、該開口部３２を改修工事における作業用通路として利用できる。
【００５６】
また、作業期間中における、その日の作業終了時には、本発明のパーテーション用仕切り板１を前記開口部３２に配置することにより、該開口部３２を封鎖することができる。また、翌日の作業開始時に本発明のパーテーション用仕切り板１を前記開口部３２より外すことにより、該開口部３２を作業用通路とすることができる。
【００５７】
また、保持金具３と留め金具４は、その上下動操作により枠体２３に係止、離脱できる構成であるため、パーテーション用仕切り板１の取付け、取外しが上下動による簡単な操作で行え、ねじ等の固着手段に比べ、その取付作業、取外し作業の手間を省くことができる。
【００５８】
更に、パーテーション用仕切り板１を設置して、これに前記のように錠１５を設けることにより、工事関係者以外が錠１５を解除して取り外すことができず、防犯上有効である。
【００５９】
また、留め金具４には孔９が複数設けられていることから、錠１５の取付位置を調整することができ、現場によって、開口部３２の高さが異なったとしても、適宜対応することができる。
【００６０】
なお、本実施例の留め金具４は、板部２の上部両端に設けられているが、パーテーション用仕切り板１の脱落を防止できればよく、板部２の上部中央に一つだけ設置して、これに錠を設けるようにしてもよい。
【００６１】
また、前記実施例は、板部２を、その上下方向の移動で、取付け、取り外しを行なうようにしたが、前記の保持金具３と留め金具４を、板部２の左右端に設け、縦枠２６，２７の一方と板部２との間に、前記上枠２９と板部２との隙間Ｄと同等の間隔Ｅの隙間Ｄを設けて、板部２を左右方向に移動させることにより、パーテーション用仕切り板１の取付け、取外しを行うようにしてもよい。その他の構造は前記実施例と同様である。この実施例でも板部の左右移動操作により着脱できるなど上記実施例と同様の効果を発揮することができる。
【符号の説明】
【００６２】
１  パーテーション用仕切り板
２  板部
３  他方の係止部（保持金具）
６  一方の係止部（留め金具）
１５  錠
２２  パーテーション
２３  枠体
２４  上隔板（隔板）
２５  下隔板（隔板）
２６，２７，２９，３０  枠
【図１】
0005528954.tif 000002
【図２】
0005528954.tif 000003
【図３】
0005528954.tif 000004
【図４】
0005528954.tif 000005
【図５】
0005528954.tif 000006
【図６】
0005528954.tif 000007
【図７】
0005528954.tif 000008
【図８】
0005528954.tif 000009